(57)【要約】陰極線管のグリル型マスクアセンブリにおける振動を抑制するための陰極線管１０に使用されるダンパワイヤ５４を保持する装置及び方法に関する。ダンパワイヤは第１端部と反対側の第２端部を持つバイメタルダンパばね５０、５６、８０によりグリル型マスク３０を横切って保持される。第２端部はグリル型マスクアセンブリのフレームに結合される。ダンパばねの第１端部近傍に位置するタブ５２がマスクを横切るダンパワイヤを受けるように配置される。
2004516638.tif 000002
【特許請求の範囲】
【請求項１】
フレームとマスクを持つグリル型マスクアセンブリと、
第１金属層と第２金属層を有するダンパばねであって、第１端部と反対側の第２端部を持ち、前記第２端部は前記フレームに結合されるダンパばねと、
前記ダンパばね上に形成され、マスクを横切る前記ダンパワイヤを受けるタブと、
を有する陰極線管におけるグリル型マスクアセンブリ上にダンパワイヤを保持する装置。
【請求項２】
前記第１金属層は前記第２金属層とは異なる材料である請求項１に記載の装置。
【請求項３】
前記第１金属層はカーボンスチールである請求項１に記載の装置。
【請求項４】
前記第２金属層はステンレススチールである請求項１に記載の装置。
【請求項５】
前記第１金属層は、高温処理の間にダンパばねが内側に曲がりダンパワイヤの負荷を無くすように前記ダンパばねの内側面に配置される請求項１に記載の装置。
【請求項６】
前記第２金属層は、通常の作動温度においてダンパばねがダンパワイヤに張力を作用させるようにダンパばねの外側面に配置される請求項１に記載の装置。
【請求項７】
ダンパばねの第１端部が、ダンパばねの第１端部に対して垂直方向の曲面を持ち、タブに連結されるダンパワイヤがマスクに対して調整可能に持上げられる構造とされる請求項１に記載の装置。
【請求項８】
ダンパワイヤはタブとダンパばねとの間でダンパワイヤをタブとダンパばねに溶接することにより連結されている請求項１に記載の装置。
【請求項９】
前記ダンパワイヤは、ダンパワイヤをタブに巻き付け、ダンパワイヤをタブとダンパばねとの間の二股内で溶接することによりタブに連結されている請求項１に記載の装置。
【請求項１０】
フレームとマスクを有するマスクアセンブリと、
曲線を有する第１端部と反対側の第２端部を有するダンパばねであって、前記第２端部はフレームに連結され、第１端部はダンパワイヤのマスクに対する持上げレベルを調整可能に確定できるように前記曲線がマスクのエッジに整列されるダンパばねとを有する、
ダンパワイヤを陰極線管のグリル型マスクアセンブリに接近して保持するための装置。
【請求項１１】
フレームと、
前記フレーム内に設けられるストランドと、
前記陰極線管内における対応する温度変化により誘起される変化を補償するために前記ダンパばね内の張力を変化させるための、異なる熱膨張率を持つ第２層により形成される部分に結合される第１の熱膨張率を持つ第１層により形成される部分を含む前記マスクに結合されるダンパばねと、を有する陰極線管内におけるグリル型マスクアセンブリ。
【請求項１２】
前記第１及び第２層はバイメタル装置を構成する請求項１１に記載の装置。
【請求項１３】
マスクを横切るダンパワイヤは、温度変化により誘起されるダンパワイヤの長さの変化を補償する前記第１層及び第２層に連結される請求項１１に記載の装置。
【請求項１４】
タブが前記ダンパばね上に形成され、前記ダンパワイヤを受けるように配置される請求項１３に記載の装置。
【請求項１５】
タブとマスクアセンブリに取り付けられるダンパばねの間にダンパワイヤを巻き付け、該巻き付けた線をタブとダンパばねの間の二股内に固定する、陰極線管のマスクアセンブリにダンパワイヤを取り付ける方法。
【発明の詳細な説明】
【０００１】
本発明は、一般的に陰極線管に関し、特に、グリル型のマスクにおける振動を抑制するための陰極線管におけるダンパーワイヤを保持する装置と方法に関する。
背景技術
カラー受像管は３本の電子ビームを受像管のスクリーンに向けて発射する電子銃を含む。スクリーンは受像管のフェースプレートの内面に位置し、３色の発色蛍光体により造られる。孔が形成されるか、或いはグリルタイプとされるシャドウマスクとが銃とスクリーンとの間に介在され、各電子ビームをそのビームに関連する蛍光要素だけに当たるようにされている。
【０００２】
シャドウマスクは外部の発生源（例えば、受像管のそばのスピーカ）からの振動を受ける。このような振動は電子ビームが通過する孔の位置を変え、その結果、映像のゆらぎをもたらす。理想的には、これらの振動は除かれるか、或いは、商品として成り立つテレビジョン受像管を造るため、少なくとも緩和する必要がある。
発明の概要
本発明は、陰極線管のグリル型マスクアセンブリにおける振動を減少するため、陰極線管で使用されるダンパワイヤを保持する装置及び方法を提供する。ダンパワイヤは、第１端部とその反対側の第２端部を持つバイメタルダンパばねによりマスクを横切って保持される。第２端部はグリル型マスクアセンブリフレームに連結される。ダンパばねの第１端部の近傍に位置するタブがマスクを横切るダンパワイヤを受けるように取り付けられている。他の実施例では、ダンパワイヤはばねがダンパワイヤに一定の張力を維持するようにタブに結ばれる。
図面の簡単な説明
本発明の内容は以下の図面を参照とした詳細な説明により容易に理解することができる；ここで、
図１は、本発明に従うグリル型マスク−フレーム−アセンブリを含むカラー受像管の部分的断面側面図であり；
図２は、図１のグリル型マスク−フレーム−アセンブリの斜視図であり；
図３は、従来のダンパばね装置を示す図であり；
図４は、温度変化の間に位置が移動する状態を描く従来のダンパばねの断面図であり；
図５は、バイメタルダンパばねの斜視図であり；
図６は、温度変化の間に位置が移動する状態を描くバイメタルばねの断面図であり；
図７は、凹状第１端部を持つバイメタルダンパばねの斜視図を示す図であり；
図８、対応するタブに連結されたダンパワイヤを持つ本発明の実施例を示す図である。
【０００３】
理解を容易にするため、各図において共通した同一の要素には同一の参照符号が使用されている。
詳細な説明
図１は、矩形のファンネル１８により連結される矩形のフェースプレートパネル１４と管状ネック１６を持つガラスエンベロープ１２を備える陰極線１０を示す。ファンネル１８は陽極ボタン２０からネック１６に延びる内面の導電コーティング（図示せず）を有する。パネル１４は観察フェースプレート２２とフリット２６によりファンネル１８に封止される周辺フランジ又はサイドウォール２４を備える。３つのカラー蛍光体スクリーン２８はフェースプレート２２の内面に保持されている。スクリーン２８は三つ組に配置された蛍光体ラインであり、各組は三色の各色のラインを含む。グリル型マスク３０はスクリーン２８に所定の間隔を置いて取り付けられている。電子銃３２（図１に点線で模式的に示されている）がネック１６内の中央に取り付けられており、収束通路にそってマスク３０を通してスクリーン２８に向かう、中央ビームと２本のサイドビームである、３本のインライン電子ビームを発生する。
【０００４】
受像管１０は、ネック結合部のファンネル近傍にヨーク３４が示されるように、外部の磁石ヨークと共に使用されるように設計されている。ヨーク３４が励起されると、ヨークは３本のビームを磁界に作用させ、スクリーン２８上の矩形ラスター内でビームを水平方向及び垂直方向に走査させる。
【０００５】
グリル型マスク３０は、図２に詳細に示されているが、２つの長辺３６，３８と二つの短辺４０，４２を含む。マスクの二つの長辺３６，３８は管の中央長軸ｘに平行である。グリル型マスク３０は、中央短軸ｙと互いに平行なストランド４４を含む。好ましい実施例において、ストランド４４は垂直方向に延び、約０．０２０インチの幅と０．００６インチの厚さを有する平らなストリップである。
【０００６】
本発明はグリル型のマスクとして説明されているが、本発明が形成孔マスク、緊張孔マスク、フォーカスマスク等を使用するように適用できることは当業者であれば理解できるであろう。
【０００７】
図３は、マスクにおける振動を抑制するためのマスクを横切って設けられるダンパワイヤを保持するためのダンパばね装置の従来技術（米国特許第４，７８０，６４１号）を示す。特に、ダンパばね５０がグリル型マスク３０のフレームに取り付けられている。より詳しく、各ダンパばね５０は単一の金属からなり、グリル型マスクの２つの短辺４０，４２に近接するフレーム４８に取り付けられる。タブ５２が各ダンパばね５０に配置されている。
【０００８】
ダンパワイヤ５４はダンパばね５０の間に伸長し、グリル型マスク３０の面に接している。ダンパワイヤ５４はタングステン等からなる小さい直径の線である。摂氏７０°の正常の温度条件の下では、各ダンパばね５０はダンパワイヤ５４に適切な張力を維持する。しかしながら、陰極線管の製造過程においては、陰極線管１０内の温度は４５０℃から４８０℃の温度範囲に達する。製造工程温度におけるダンパばねとダンパワイヤ材料のクリープ閾値は正常動作温度におけるクリープ閾値より低く、また、高い処理温度においてダンパワイヤ５４の熱膨張は線の張力とばね応力を増加するため、このような高い温度はダンパばね又はダンパワイヤにクリープ歪を生じてダンパワイヤ張力の弛みを生じ、その結果、初期状態から推定されるだけのダンパワイヤの張力となる。例えば、図４に示されるように、高い処理温度の間は、ダンパばね５０は位置Ｌから位置Ｍに移動し、ダンパワイヤ５４に追加的な直接の張力を及ぼし、ダンパばね５０に曲げ応力が増加する。ダンパばね５０のクリープ歪みはダンパばね５０を位置Ｌの方向に移動させる。通常の動作温度に戻ると、恒久的なクリープ歪みがダンパばね５０を位置Ｌのインボードである位置Ｎに移動させ、ダンパワイヤ張力は減少する。バイメタル又は非バイメタルばねについては、クリープ閾値は４６０℃で約２７，０００ｐｓｉである。しかしながら、バイメタルばねはこの温度では実質的により低い応力を持つ。
【０００９】
図５は図３のダンパばね５０に替わるバイメタルダンパばねの斜視図を示す図である。特に、バイメタルダンパばね５６は第１金属層５８と第２金属層６０を有する。第１金属層５８はカーボンスチールのような金属からなり、バイメタルダンパばね５６の内側面７２に配置される。第２金属層６０は第１金属層より高い熱膨張率を持つステンレススチールのような金属からなり、バイメタルダンパばね５６の外側面７４に配置されている。バイメタルダンパばね５６は、可撓性を確保するように０．００８インチ〜０．０１２インチの厚さを有している。
第１金属層５８と第２金属層６０は電子ビーム溶接又は抵抗溶接により達成することができる溶接により接合することができる。
【００１０】
バイメタルダンパばね５６は第１端部６２とその反対の第２端部６４を持つ。両方の端部６２と６４は平坦である。各バイメタルダンパばね５６の第２端部６４はグリル型マスク３０のフレーム４８に結合される。各バイメタルダンパばね５６の第１端部６２と第２端部６４の間には第１端部６８とその反対側の第２端部７０を持つタブ５２が配置されている。タブ５２の第１端部６８はバイメタルダンパばね５６に取り付けられる。
【００１１】
図６は温度変化の間に位置が移動する状態を示すバイメタルばね５６の断面図である。本発明の第１の実施例においては、ダンパワイヤ５４はタブ５２とバイメタルダンパばね５６との間で点６００においてスポット溶接されている。陰極線管の製造工程の間、高温の状態となる。バイメタルダンパばね５６は低い熱膨張金属を内側面７４に持つため、バイメタルダンパばね５６は位置Ａから位置Ｂに内側に曲がる。従って、高温の処理工程中においてはダンパワイヤ５４に負荷がかからない。これにより、ダンパばねとダンパワイヤの応力をクリープ閾値より低くし、最終の陰極線管の組立前にダンパワイヤ５４の張力を固定しておくことができる。
【００１２】
図７は凹状の第１端部７６を持つ凹状バイメタルばね５７の斜視図を示す。特に、凹状バイメタルばね５７は第１端部７６に曲線７８を有する。押圧されたばねにより曲線７８の頂部８０をグリル型マスク３０のエッジと整列させることにより、ばねが解除されたとき適切なダンパワイヤの持上げ角８２が達成されるように、曲線７８が第１端部に与えられる。好ましい曲率半径は１．８７５インチである。適切なダンパワイヤ持上げ角８２は、ダンパワイヤ５４の接線方向、即ち下方へのグリル型マスク３０からの解離を確保するものである。このような持上げ角は、グリル型マスクとの適切な接触が維持されてそこに生じる振動を抑制することを保証する。ダンパワイヤ５４の直径、第１端部の曲率、バイメタルダンパばね５６がグリルマスク３０のエッジにどの程度接近させるかというようなファクターはダンパワイヤ持上げ角８２を決定する。第１端部７６の曲率の程度を異なるようにして、陰極線管１０のいかなるタイプを受入れるように使用することができる。
【００１３】
図８は、対応するタブ５２に連結されたダンパワイヤ５４を持つ他のバイメタルダンパばね８６の斜視図を示す。タブ５２は第１端部６２において他のバイメタルダンパばね８６に結合される。ダンパワイヤ５４はタブ５２に巻きつけられている。次いで、ダンパワイヤ５４の巻き付け部分は他のダンパばね８６とタブ５２の間で二股８４内のダンパワイヤ５４の巻き付け部分を溶接して取り付けられる。
【００１４】
タブ５２は他のバイメタルダンパばね８６のボディにより形成される一体的タブ６６とすることができることは当業者であれば理解できるであろう。
【００１５】
また、バイメタルダンパばね５０、５６、及び５８の種々の実施例を組み合わせることができることが当業者であれば理解できるであろう。例えば、バイメタルダンパばねは曲線７８を持つ第１端部を有し、ダンパワイヤ５４はバイメタルダンパばねタブ５２に連結したダンパワイヤ５４を持つこともができる。
【００１６】
他の実施例においては、非バイメタルダンパばねは、図７に示された凹状第１端部と同様に凹状に第１端部を持つ。この非バイメタルダンパばねは、第１端部７６の曲率により調整可能なダンパワイヤ上昇角８２を持つという利点を有する。
【００１７】
他の実施例においては、非バイメタルダンパばねはタブ５２に図８と同様な方法で結合されたダンパワイヤ５４を持つ。ダンパワイヤ５４はタブ５２に巻き付けられ、タブ５２の巻き付け部分はダンパワイヤ５４の巻き付け部分を二股５４内で溶接することにより固定される。
【００１８】
本発明の内容を組み入れた実施例を示し、詳細に説明したが、当業者であれば、本発明の精神を離れない範囲で本発明の内容を組み入れた他の多くの実施例を考えることができるであろう。
【図面の簡単な説明】
【図１】
本発明に従うグリル型マスク−フレーム−アセンブリを含むカラー受像管の部分的断面側面図である。
【図２】
図１のグリル型マスク−フレーム−アセンブリの斜視図である。
【図３】
従来のダンパばね装置を示す図である。
【図４】
温度変化の間に位置が移動する状態を描く従来のダンパばねの断面図である。
【図５】
バイメタルダンパばねの斜視図である。
【図６】
温度変化の間に位置が移動する状態を描くバイメタルばねの断面図である。
【図７】
凹状第１端部を持つバイメタルダンパばねの斜視図を示す図である。
【図８】
対応するタブに連結されたダンパワイヤを持つ本発明の実施例を示す図である。
【図４】
2004516638.tif 000003
【図６】
2004516638.tif 000004
【国際公開パンフレット】
2004516638.tif 000005
2004516638.tif 000006
2004516638.tif 000007
2004516638.tif 000008
2004516638.tif 000009
2004516638.tif 000010
2004516638.tif 000011
2004516638.tif 000012
2004516638.tif 000013
2004516638.tif 000014
2004516638.tif 000015
2004516638.tif 000016
2004516638.tif 000017
2004516638.tif 000018
2004516638.tif 000019
2004516638.tif 000020
2004516638.tif 000021
2004516638.tif 000022
2004516638.tif 000023
【国際公開パンフレット（コレクトバージョン）】
2004516638.tif 000024
2004516638.tif 000025
【国際調査報告】
2004516638.tif 000026
2004516638.tif 000027
2004516638.tif 000028